(57)【要約】【課題】清掃部を駆動する駆動部の磨耗を防止し、清掃部を確実に駆動することができる室内機ユニットおよび空気調和機を提供する。【解決手段】吸入部から筐体内に室内空気とともに流入する塵埃を捕集するエアフィルタと、エアフィルタに付着した塵埃を取り除く塵埃除去部と、エアフィルタに沿って延びるとともに外周に雄ネジが形成されたシャフト４５と、雄ネジと噛み合わされる雌ネジが内周に形成され、塵埃除去部と係合離脱可能とされる移動部３７と、が設けられ、シャフト４５の雄ネジおよび移動部３７の雌ネジが相対回転することにより塵埃除去部が移動されることを特徴とする。【選択図】図５
2009264658.tif 000002
【特許請求の範囲】
【請求項１】
吸入部から筐体内に室内空気とともに流入する塵埃を捕集するエアフィルタと、
前記エアフィルタに付着した塵埃を取り除く塵埃除去部と、
前記エアフィルタに沿って延びるとともに外周に雄ネジが形成されたシャフトと、
前記雄ネジと噛み合わされる雌ネジが内周に形成され、前記塵埃除去部と係合離脱可能とされる移動部と、
が設けられ、
前記シャフトの雄ネジおよび前記移動部の雌ネジが相対回転することにより前記塵埃除去部が移動されることを特徴とする室内機ユニット。
【請求項２】
前記シャフトを中心軸線まわりに回転駆動させる駆動部が設けられていることを特徴とする請求項１記載の室内機ユニット。
【請求項３】
前記移動部に、前記雌ネジを中心軸線まわりに回転駆動させる駆動部が設けられていることを特徴とする請求項１記載の室内機ユニット。
【請求項４】
前記シャフトに沿って配置され、前記移動部を前記シャフトに沿って移動可能に支持するレール部が設けられていることを特徴とする請求項１から３のいずれかに記載の室内機ユニット。
【請求項５】
吸入部から筐体内に室内空気とともに流入する塵埃を捕集するエアフィルタと、
前記エアフィルタに付着した塵埃を取り除く塵埃除去部と、
前記エアフィルタに沿って直線状に配置された複数の電磁石を有する誘導部と、
該誘導部とともにリニアモータを構成し、前記塵埃除去部に配置された移動磁石と、
が設けられていることを特徴とする室内機ユニット。
【請求項６】
請求項１から請求項５のいずれかに記載の室内機ユニットと、
該室内機ユニットとともに冷媒が循環する冷媒流路を構成する室外機ユニットと、
が設けられていることを特徴とする空気調和機。
【発明の詳細な説明】
【技術分野】
【０００１】
本発明は、室内機ユニットおよび空気調和機に関する。
【背景技術】
【０００２】
従来、空気調和機の室内機ユニットは、室内空気を内部に吸入し、その温度を調整した後、再び室内へ温度調整された室内空気を吹き出している。この際に、室内空気中に浮遊する塵埃を捕集し、室内機ユニット内に侵入するのを防ぐエアフィルタが、室内機ユニットの吸入口に設けられている。
【０００３】
室内機ユニットを運転し続けると、エアフィルタには捕集された塵埃が蓄積される。すると、エアフィルタにおける室内空気の流通抵抗が増加し、室内機ユニットの効率が低下する問題があった。一方、蓄積された塵埃にカビなどが発生する恐れもあった。
上述の問題を解決するためには、エアフィルタに蓄積された塵埃を取り除く必要があった。
【０００４】
しかしながら、通常、室内機ユニットは高所に設置されることが多く、エアフィルタの清掃を行うことは容易でなかった。特に、天井埋め込み式室内機ユニットや、天井吊り下げ式室内機ユニットは、設置位置が天井に近くエアフィルタの清掃作業が困難を伴うものであった。
そのため、高所に設置されたエアフィルタの清掃に関するさまざまな技術が提案されている（例えば、特許文献１参照。）。
【０００５】
上述の特許文献１では、エアフィルタを移動させることによりエアフィルタの清掃を行っているが、その他に、エアフィルタを清掃する清掃部をエアフィルタに対して移動させて清掃を行う技術も知られている。
この場合、清掃部をラックアンドピニオン方式で駆動する方法が知られている。
【特許文献１】特開２００５−０８３７２１号公報
【発明の開示】
【発明が解決しようとする課題】
【０００６】
上述のラックアンドピニオン方式で清掃部を駆動する場合、例えば、ラックギアを室内機ユニットの筐体に配置し、ピニオンギアを清掃部に配置する方式を挙げることができる。
【０００７】
この方式の場合、清掃部内に貯留される塵埃等の量が多くなると、清掃部を移動させる駆動トルクが上昇してラックギアが撓むことから、ラックギアとピニオンギアとの噛み合わせが浅くなる、または、噛み合わせが無くなるという問題があった。
そのため、ラックギアとピニオンギアとの摺動が発生し、両ギアが磨耗するという問題があった。
【０００８】
本発明は、上記の課題を解決するためになされたものであって、清掃部を駆動する駆動部の磨耗を防止し、清掃部を確実に駆動することができる室内機ユニットおよび空気調和機を提供することを目的とする。
【課題を解決するための手段】
【０００９】
上記目的を達成するために、本発明は、以下の手段を提供する。
本発明の室内機ユニットは、吸入部から筐体内に室内空気とともに流入する塵埃を捕集するエアフィルタと、前記エアフィルタに付着した塵埃を取り除く塵埃除去部と、前記エアフィルタに沿って延びるとともに外周に雄ネジが形成されたシャフトと、前記雄ネジと噛み合わされる雌ネジが内周に形成され、前記塵埃除去部と係合離脱可能とされる移動部と、が設けられ、前記シャフトの雄ネジおよび前記移動部の雌ネジが相対回転することにより前記塵埃除去部が移動されることを特徴とする。
【００１０】
本発明によれば、塵埃除去部を移動させる駆動トルクが上昇しても、シャフトの外周に形成された雄ネジと、移動部の内周に形成された雌ネジが噛み合うため、雄ネジと雌ネジとの噛み合わせが浅くなること、または、噛み合せが無くなることを防止できる。
一方、雄ネジと雌ネジとを相対的に回転させることにより移動部はシャフトに沿って駆動され、移動部の動きが塵埃除去部に伝達される。そのため、塵埃除去部はエアフィルタに沿って駆動される。
【００１１】
上記発明においては、前記シャフトを中心軸線まわりに回転駆動させる駆動部が設けられていることが望ましい。
【００１２】
本発明によれば、シャフトを中心軸線まわりに回転駆動させることにより、雄ネジと雌ネジとが相対的に回転される。そのため、移動部はシャフトに沿って駆動され、塵埃除去部はエアフィルタに沿って駆動される。
【００１３】
上記発明においては、前記移動部に、前記雌ネジを中心軸線まわりに回転駆動させる駆動部が設けられていることが望ましい。
【００１４】
本発明によれば、雌ネジを中心軸線まわりに回転駆動させることにより、雄ネジと雌ネジとが相対的に回転される。そのため、移動部はシャフトに沿って駆動され、塵埃除去部はエアフィルタに沿って駆動される。
【００１５】
上記発明においては、前記シャフトに沿って配置され、前記移動部を前記シャフトに沿って移動可能に支持するレール部が設けられていることが望ましい。
【００１６】
本発明によれば、レール部によって移動部をシャフトに沿って移動可能に支持することにより、移動部がシャフトの中心軸線まわりに回転することが防止される。そのため、雄ネジと雌ネジとを確実に相対回転させることができる。
【００１７】
本発明の室内機ユニットは、吸入部から筐体内に室内空気とともに流入する塵埃を捕集するエアフィルタと、前記エアフィルタに付着した塵埃を取り除く塵埃除去部と、前記エアフィルタに沿って直線状に配置された複数の電磁石を有する誘導部と、該誘導部とともにリニアモータを構成し、前記塵埃除去部に配置された移動磁石と、が設けられていることを特徴とする。
【００１８】
本発明によれば、誘導部と移動磁石との間に働く磁力により移動磁石をエアフィルタに沿って駆動し、移動磁石の移動を塵埃除去部に伝達することができる。そのため、ギアの噛みあわせを用いることなく、塵埃除去部をエアフィルタに沿って駆動することができる。
【００１９】
本発明の空気調和機は、上記本発明の室内機ユニットと、該室内機ユニットとともに冷媒が循環する冷媒流路を構成する室外機ユニットと、が設けられていることを特徴とする。
【００２０】
本発明によれば、上記本発明の室内機ユニットを備えるため、清掃部を駆動するギア等の磨耗を防止し、清掃部を確実に駆動することができる。
【発明の効果】
【００２１】
本発明の室内機ユニットおよび空気調和機によれば、シャフトの外周に形成された雄ネジと、移動部の内周に形成された雌ネジを噛み合わせるため、塵埃除去部を駆動する駆動部の磨耗を防止し、塵埃除去部を確実に駆動することができる室内機ユニットおよび空気調和機を提供するという効果を奏する。
本発明の室内機ユニットおよび空気調和機によれば、電磁石を有する誘導部と、移動磁石と、から構成されるリニアモータにより塵埃除去部を駆動するため、塵埃除去部を駆動する駆動部の磨耗を防止し、塵埃除去部を確実に駆動することができる室内機ユニットおよび空気調和機を提供するという効果を奏する。
【発明を実施するための最良の形態】
【００２２】
〔第１の実施形態〕
以下、本発明の第１の実施形態に係る空気調和機について図１から図９を参照して説明する。
図１は、本実施形態に係る空気調和機の全体構成を説明する図である。
空気調和機１は、図１に示すように、天井に設置される室内機ユニット３と、室外に設置される室外機ユニット５と、室内機ユニット３と室外機ユニット５との間で冷媒を循環させる冷媒流路７と、室内機ユニット５および室外機ユニット５の運転状態を指示するリモコン８と、から概略構成されている。
【００２３】
室外機ユニット５は、図１に示すように、冷媒を圧縮する圧縮機９と、冷媒と室外空気との間で熱交換を行なう室外熱交換器１１と、室外ファン１３と、から概略構成されている。
【００２４】
図２は、図１の室内機ユニットの構成を説明する断面図である。
室内機ユニット３は、図２に示すように、下部に天面パネル１４およびスペーサ１４Ａを有し、天井に埋め込み設置される筐体１５と、室内空気を吸込む吸込口（吸入部）１７が形成された吸込みグリル１９と、室内空気を吸込み送り出す室内ファン２１と、室内空気と冷媒との間で熱交換を行なう室内熱交換器２３と、から概略構成されている。
【００２５】
筐体１５内部の上面における略中央には、室内ファン２１を駆動するファンモータ２５が配置され、室内ファン２１およびファンモータ２５の周囲には、室内熱交換器２３が配置されている。室内ファン２１の下方（図２中の下方）には、室内ファン２１に流入する室内空気の流れを整えるベルマウス２７が配置され、ベルマウス２７の下方には、吸込みグリル１９が配置されている。天面パネル１４に設けられた吸込みグリル１９の周囲には、室内ファン２１から室内熱交換器２３を通過した室内空気が、筐体１５から流出する吹出口２９が形成されている。
【００２６】
図３は、図２の室内機ユニットにおける吸込みグリル、天面パネルおよびスペーサの構成を説明する部分斜視図である。
吸込みグリル１９には、図３に示すように、吸入される空気に含まれる塵埃等を除去するエアフィルタ３１と、エアフィルタ３１を清掃する清掃部（塵埃除去部）３３とが備えられている。エアフィルタ３１は、吸込みグリル１９の略中央領域に配置されている。吸込みグリル１９の縁領域である枠部の四隅には、吸込みグリル１９を昇降させるワイヤ６３が配置されている。天面パネル１４上には所定の厚さ寸法を有するスペーサ１４Ａが配置され、該スペーサ１４Ａによって形成される空間には、清掃部３３を駆動するために駆動用シャフト（シャフト）４５を回転駆動する駆動モータ（駆動部）３５と、シャフトの回転により往復駆動される往復動部（移動部）３７および上部伝達部３９と、が天面パネル１４上に設置されたフレーム４１に保持されて配置されている。
【００２７】
図４は、図３のスペーサおよび天面パネル上に設置されたフレームの構成を説明する分解斜視図である。
スペーサ１４Ａは、図４に示すように、矩形状の枠体から構成され、枠体内の空間には、駆動モータ３５や往復動部３７を保持するフレーム４１が配置されている。なお、スペーサ１４Ａの枠体の中央に形成された貫通孔は、室内機ユニット３に流入する空気の流路であり、周囲に形成された４つの貫通孔は、室内機ユニット３から流出する空気の流路である。
【００２８】
天面パネル１４上に設置されるフレーム４１には、駆動モータ３５や往復動部３７などを支持する支持部４３が設けられている。支持部４３は、フレーム４１における対向する一対の辺であって、略中央部に設けられている。支持部４３は、フレーム４１の内周面から内側に向かって突出する凸状の部材であり、駆動モータ３５と、往復動部３７とを支持するものである。駆動モータ３５は、フレーム４１と支持部４３との間に配置され、往復動部３７は、一対の支持部４３の間に配置されている。
【００２９】
なお、上述のように、フレーム４１に支持部４３を設けて、支持部４３により駆動モータ３５や往復動部３７などを支持してもよいし、支持部４３を設けることなく、フレーム４１が直接駆動モータ３５や往復動部３７などを支持するように構成してもよく、特に限定するものではない。
【００３０】
図５は、図４の往復動部および駆動用シャフトの構成を説明する模式図である。
往復動部３７は、図４および図５に示すように、駆動用シャフト４５の回転により、駆動用シャフト４５に沿って往復動されるものであって、例えば、内周面に駆動用シャフト４５の外遊面に形成された雄ネジと噛み合う雌ネジが形成された円筒状の部材（ナット）である。
【００３１】
駆動用シャフト４５は、外周面に往復動部３７の雌ネジを噛み合わされる雄ネジが形成された略円柱状の部材であって、フレーム４１に回転可能に支持される部材である。さらに、駆動用シャフト４５は、駆動モータ３５により回転駆動されるものでもある。
駆動用シャフト４５の近傍には、駆動用シャフト４５に沿って延びるガイドレール（レール部）４６が設けられている。ガイドレール４６は、往復動部３７および駆動力伝達部５３における駆動用シャフト４５を中心とした回転を規制し、駆動用シャフト４５に沿って移動可能に支持するものである。
【００３２】
駆動力伝達部５３には、図４および図５に示すように、後述する下部伝達部７５に往復駆動力を伝達する一対の側板６１と、側板６を繋ぐ天板５９と、が設けられている。
【００３３】
側板６１の下方端部には、後述する下部伝達部７５と係合される上部係合部６９が形成されている。上部係合部６９には、下部伝達部７５を挟み、往復駆動力を下部伝達部７５に伝達する上部凹部７１と、側板６１から外側に延び、上部伝達部３９および下部伝達部７５の間の相対姿勢を規定する押さえ板７３と、が設けられている。
【００３４】
図６は、図３の吸込みグリル上に設けられるエアフィルタおよび清掃部の構成を説明する部分分解斜視図である。
吸込みグリル１９上には、図６に示すように、吸入される空気に含まれる塵埃等を除去するエアフィルタ３１と、エアフィルタ３１を清掃する清掃部３３と、清掃部３３に往復駆動力を伝達する下部伝達部７５と、が矩形状の台座１１９を介して設置されている。
【００３５】
図７は、図６の台座の構成を説明する平面図である。
吸込みグリル１９上に設置される台座１１９は、エアフィルタ３１および清掃部３３を支持する枠体である。台座１１９には、図８に示すように、略中央にエアフィルタ３１が配置される矩形状の貫通孔が形成されている。台座１１９は、回転用ラックギア７７と、ガイド部７９とを備えている。
【００３６】
図８は、図７の回転用ラックギアの形状を説明するＡ−Ａ断面視図である。図９は、図７の台座および清掃部の組み合わせを説明するＢ−Ｂ断面視図である。
回転用ラックギア７７は、後述する回転ブラシ８５に回転駆動力を発生させるものである。ガイド部７９は、清掃部３３を支持するものである。ガイド部７９および回転用ラックギア７７は、上記貫通孔の対向する辺に沿った方向であって、清掃部３３の移動方向に沿って延びるように形成されている。
【００３７】
回転用ラックギア７７は、図８に示すように、台座１１９の面に沿って延びるラックギアであり、図９に示すように、後述する回転ブラシ８５のピニオンギア９３と係合されるものである。
【００３８】
ガイド部７９は、図９に示すように、後述するダストボックス８７のコロ１０３の案内溝１０７と係合する凸部である案内部８１と、コロ１０３を支持する支持面８３とを備えている。
【００３９】
清掃部３３は、図６に示すように、エアフィルタ３１に捕集された塵埃などを除去する回転ブラシ８５と、回転ブラシ８５により除去された塵埃などを一時的に貯留するダストボックス８７と、を備えている。
回転ブラシ８５は、図９に示すように、回転駆動されるとともにエアフィルタ３１の面に沿って駆動される回転軸８９と、エアフィルタ３１に捕集された塵埃などを掃き取るブラシ部９１と、回転軸８９を回転駆動させるピニオンギア９３とを備えている。
【００４０】
回転軸８９には、図６に示すように、その両端にピニオンギア９３が配置されている。回転軸８９には、ブラシ部９１が半径方向外側に向かって延びるように設けられている。本実施形態においては、ブラシ部９１は、４つのブラシ部９１の列が回転軸８９の中心軸線に沿って延びるとともに、回転軸８９の円周周りに等間隔に配置されるように形成されている。
【００４１】
なお、このブラシ部９１の列の構成は、上述のように上記中心軸線に沿って延びるように形成されていてもよいし、回転軸８９周りに螺旋状に延びる様に形成されていてもよく、特に限定するものではない。また、ブラシ部９１の列の数についても、４つであってもよいし、それよりも多くても良いし、少なくてもよく、特に限定するものではない。
【００４２】
ピニオンギア９３は回転用ラックギア７７と係合され、回転ブラシ８５がエアフィルタ３１の面に沿って移動されることにより、回転軸８９を回転させる回転駆動力を発生するものである。
【００４３】
ダストボックス８７は、図６に示すように、下部伝達部７５から往復駆動力が伝達される本体９７と、塵埃などを一時的に貯留する貯留部９９と、を備えている。本体９７と貯留部９９とは、その間に回転ブラシ８５を回転可能に保持するように構成されている。
【００４４】
下部伝達部７５は、図６に示すように、略棒状に形成された部材であって、その長手方向における両端部に清掃部３３のブラケット１０１を把持する把持部１０９が設けられている。
【００４５】
下部伝達部７５の略中央部には、上部伝達部３９の上部係合部６９と係合される下部係合部１１１が形成されている。下部係合部１１１は、下部伝達部７５における他の部分と比較して、棒状の部材の幅が狭く形成され、この部分が上部係合部６９の上部凹部７１と係合される。把持部１０９は、図９に示すように、その先端に清掃部３３と係合されブラケット１０１を把持する下部凹部１１３が形成されている。
【００４６】
エアフィルタ３１と台座１１９との間には、図９に示すように、隙間１２１が形成されている。隙間１２１は、ブラケット１０１が挿通されるものであって、回転用ラックギア７７やガイド部７９と同様に、清掃部３３の移動方向（図９における紙面に対して垂直方向）に沿って延びるように形成されている。
【００４７】
エアフィルタ３１における縁部の台座１１９と対向する面には、ブラシ１２３が設けられている。ブラシ１２３は、エアフィルタ３１から台座１１９に向かって延びるように配置されているとともに、清掃部３３の移動方向に沿って一列に延びるように配置されている。ブラシ１２３は、隙間１２１を塞ぐ長さに形成されている。
【００４８】
次に、上記の構成からなる空気調和機１における作用について説明する。
まず、空気調和機１における冷房運転時の作用について説明する。
冷媒は、図１に示すように、圧縮機９により圧縮され高温高圧の状態で室外熱交換器１１に送り出される。室外熱交換器１１に流入した冷媒は、室外空気に対して熱を放出し、凝縮・液化する。液化した冷媒は、膨張弁を通過する際に減圧され室内熱交換器２３に流入する。室内熱交換器２３に流入した冷媒は、室内空気から熱を奪い、蒸発・気化する。気化した冷媒は再び圧縮機９に流入し、上述のサイクルを繰り返す。
【００４９】
次に空気調和機１における暖房運転時の作用について説明する。
冷媒は、圧縮機９により圧縮され室内熱交換器２３に送り出される。室内熱交換器２３に流入した冷媒は、室内空気に対して熱を放出し、凝縮・液化する。液化した冷媒は、膨張弁を通過する際に減圧され室外熱交換器１１に流入する。室外熱交換器１１に流入した冷媒は、室外熱交換器１１から熱を奪い、蒸発・気化する。気化した冷媒は再び圧縮機９に流入し、上述のサイクルを繰り返す。
【００５０】
次に、室内機ユニット３内における室内空気の流れについて説明する。
室内空気は、図２に示すように、ファンモータ２５により室内ファン２１が回転することにより、吸込口１７から筐体１５内に流入する。筐体１５に流入した室内空気は、エアフィルタ３１を通過し、室内空気に含まれるゴミがエアフィルタ３１に捕集される。
【００５１】
このとき、エアフィルタ３１と台座１１９との隙間１２１は、ブラシ１２３により塞がれている。そのため、吸込口１７からエアフィルタ３１に向かって流れる室内空気の略全てがエアフィルタ３１を通過する（図９参照）。
エアフィルタ３１を通過した室内空気は、ベルマウス２７を通過して室内ファン２１に吸込まれる。室内ファン２１に吸込まれた室内空気は、室内ファン２１の半径方向外側へ送り出され、室内熱交換器２３を通過する。
【００５２】
冷房運転時には、室内空気は室内熱交換器２３を通過する際に冷媒に熱を奪われ冷却される。一方、暖房運転時には、室内空気は室内熱交換器２３を通過する際に冷媒から熱を受取り加熱される。
室内熱交換器２３を通過した室内空気は、吹出口２９から室内へ流出する。
【００５３】
次に、本実施形態におけるエアフィルタの清掃における作用について説明する。
上述のように、室内機ユニット３の運転によりエアフィルタ３１に付着したゴミは、清掃部３３をエアフィルタ３１の面に沿って往復動させることにより取り除かれる。
【００５４】
具体的には、駆動用シャフト４５が駆動モータ３５により回転駆動されることにより、図４に示すように、往復動部３７が往復駆動され、上部伝達部３９も往復動部３７とともに駆動される。
このとき、往復動部３７および上部伝達部３９は、ガイドレール４６により駆動用シャフト４５を中心とした回転が規制されているため、往復動部３７は、確実に往復駆動される。
【００５５】
上部伝達部３９に伝達された往復動は、上部伝達部３９から下部伝達部７５へ伝達される。
下部伝達部７５に伝達された往復動は、図９に示すように、把持部１０９からエアフィルタ３１の下面側に配置された清掃部３３のブラケット１０１へ伝達される。
【００５６】
ブラケット１０１は、エアフィルタ３１と台座１１９との隙間１２１を、ブラシ１２３を押し分けながら往復移動する。押し分けられたブラシ１２３は、ブラケット２０１が通過すると、再びエアフィルタ３１から台座１１９に向かって延びる形状に戻り、隙間１２１を塞ぐ。
ブラケット１０１に伝達された往復動はダストボックス８７から回転ブラシ８５へ伝達される。
【００５７】
回転ブラシ８５は、エアフィルタ３１の下面側を往復動するとともに、ピニオンギア９３と回転用ラックギア７７との係合により回転駆動される。回転ブラシ８５の往復動および回転により、回転ブラシ８５のブラシ部９１は、エアフィルタ３１における空気吸入側の面の全面を掃き、エアフィルタ３１に捕集された塵埃などを取り除く。
【００５８】
上記の構成によれば、清掃部３３を移動させる駆動トルクが上昇しても、駆動用シャフト４５の外周に形成された雄ネジと、往復動部３７の内周に形成された雌ネジが噛み合うため、雄ネジと雌ネジとの噛み合わせが浅くなること、または、噛み合せが無くなることを防止できる。そのため、清掃部３３を駆動するギア等の磨耗を防止し、清掃部３３を確実に駆動することができる。
【００５９】
一方、雄ネジと雌ネジとを相対的に回転させることにより往復動部３７は駆動用シャフト４５に沿って駆動され、往復動部３７の動きが清掃部３３に伝達される。そのため、清掃部３３はエアフィルタ３１に沿って駆動される。
【００６０】
駆動モータ３５を用いて駆動用シャフト４５を中心軸線まわりに回転駆動させることにより、雄ネジと雌ネジとが相対的に回転される。そのため、往復動部３７は駆動用シャフト４５に沿って駆動され、清掃部３３はエアフィルタ３１に沿って駆動される。
さらに、ガイドレール４６によって清掃部３３を駆動用シャフト４５に沿って移動可能に支持することにより、清掃部３３が駆動用シャフト４５の中心軸線まわりに回転することが防止される。そのため、雄ネジと雌ネジとを確実に相対回転させることができる。
【００６１】
〔第２の実施形態〕
次に、本発明の第２の実施形態について図１０を参照して説明する。
本実施形態の空気調和機の基本構成は、第１の実施形態と同様であるが、第１の実施形態とは、清掃部の駆動に関する構成が異なっている。よって、本実施形態においては、図１０を用いて清掃部の駆動に関する構成のみを説明し、その他の構成要素等の説明を省略する。
図１０は、本実施形態の空気調和機における清掃部の駆動に係る構成を説明する模式図である。
なお、第１の実施形態と同一の構成要素については、同一の符号を付してその説明を省略する。
【００６２】
本実施形態の空気調和機１０１の室内機ユニット１０３には、図１０に示すように、一対の支持部４３にわたって配置された駆動用シャフト（シャフト）１４５と、駆動モータが内蔵された往復動部（移動部）１３７と、上部伝達部３９と、が設けられている。
【００６３】
往復動部１３７は、駆動用シャフト１４５の外周面に形成された雄ネジと噛み合う雌ネジが内周面に形成された略円筒状の部材であって、少なくとも、雌ネジを雄ネジに対して回転させる駆動モータが内蔵されたものである。
【００６４】
駆動用シャフト１４５は、外周面に往復動部１３７の雌ネジを噛み合わされる雄ネジが形成された略円柱状の部材であって、フレーム４１の支持部４３にわたって支持される部材である。
駆動用シャフト４５の近傍には、駆動用シャフト４５に沿って延びるガイドレール４６が設けられている。ガイドレール４６は、往復動部１３７および駆動力伝達部５３における駆動用シャフト１４５を中心とした回転を規制し、駆動用シャフト１４５に沿って移動可能に支持するものである。
【００６５】
次に、本実施形態に係るエアフィルタの清掃時における往復動部の駆動方法について説明する。
往復動部１３７を往復動させる場合には、図１０に示すように、駆動モータにより少なくとも往復動部１３７の雌ネジが駆動用シャフト１４５に対して回転駆動される。これにより往復動部１３７は、駆動用シャフト１４５に沿って往復駆動される。
【００６６】
このとき、往復動部１３７および上部伝達部３９は、ガイドレール４６により駆動用シャフト１４５を中心とした回転が規制されているため、往復動部３７は、確実に往復駆動される。
【００６７】
上記の構成によれば、往復動部１３７の雌ネジを駆動用シャフト１４５の中心軸線まわりに回転駆動させることにより、雄ネジと雌ネジとが相対的に回転される。そのため、往復動部１３７は駆動用シャフト１４５に沿って駆動され、清掃部３３をエアフィルタ３１に沿って駆動することができる。
【００６８】
〔第３の実施形態〕
次に、本発明の第３の実施形態について図１１を参照して説明する。
本実施形態の空気調和機の基本構成は、第１の実施形態と同様であるが、第１の実施形態とは、清掃部の駆動に関する構成が異なっている。よって、本実施形態においては、図１１を用いて清掃部の駆動に関する構成のみを説明し、その他の構成要素等の説明を省略する。
図１１は、本実施形態の空気調和機における清掃部の駆動に係る構成を説明する模式図である。
なお、第１の実施形態と同一の構成要素については、同一の符号を付してその説明を省略する。
【００６９】
本実施形態の空気調和機２０１の室内機ユニット２０３には、図１１に示すように、一対の支持部４３にわたって配置されたリニア板（誘導部）２４５と、リニア板２４５とともにリニアモータを構成するマグネット（移動磁石）２３７と、上部伝達部３９と、が設けられている。
【００７０】
マグネット２３７は、リニア板２４５とともにリニアモータを構成する永久磁石であって、リニア板２４５に沿って移動可能に配置されたものである。マグネット２３７とリニア板２４５により発生された駆動力は、上部伝達部３９に伝えられる。
【００７１】
リニア板２４５は、マグネット２３７と対向して複数の電磁石が配置された略棒状の部材であって、フレーム４１の支持部４３にわたって支持される部材である。リニア板２４５に配置された複数の電磁石は、それぞれ磁界の向きなどが制御されるものであり、マグネット２３７をリニア板２４５に沿って往復駆動するものである。
【００７２】
次に、本実施形態に係るエアフィルタの清掃時におけるマグネットの駆動方法について説明する。
マグネット２３７を往復動させる場合には、図１１に示すように、リニア板２４５の電磁石から磁力を発生させ、マグネット２３７をリニア板２４５に沿って移動させる。
マグネット２３７に作用する駆動力は、上部伝達部３９に伝達される。
【００７３】
上記の構成によれば、リニア板２４５とマグネット２３７との間に働く磁力によりマグネット２３７をエアフィルタ３１に沿って駆動し、マグネット２３７の移動を清掃部３３に伝達することができる。そのため、ギアの噛みあわせを用いることなく、清掃部３３をエアフィルタ３１に沿って駆動させることができる。
【００７４】
〔第４の実施形態〕
次に、本発明の第４の実施形態について図１２を参照して説明する。
本実施形態の空気調和機の基本構成は、第１の実施形態と同様であるが、第１の実施形態とは、エアフィルタの清掃に関する構成が異なっている。よって、本実施形態においては、図１２を用いてエアフィルタの清掃に関する構成のみを説明し、その他の構成要素等の説明を省略する。
図１２は、本実施形態の空気調和機における清掃部の駆動に係る構成を説明する模式図である。
なお、第１の実施形態と同一の構成要素については、同一の符号を付してその説明を省略する。
【００７５】
本実施形態の空気調和機３０１の室内機ユニット３０３には、図１２に示すように、一対のスプロケット３３０と、スプロケット３３０に巻きつけられたエアフィルタ３３１と、エアフィルタ３３１の下面に固定配置された清掃部３３３と、が設けられている。
【００７６】
一対のスプロケット３３０の少なくとも一方には駆動モータ（図示せず）が設けられ、駆動モータにより回転駆動される。なお、スプロケット３３０としては公知のものを用いることができ、特に限定するものではない。
【００７７】
エアフィルタ３３１は一対のスプロケット３３０に巻きつけられ、スプロケット３３０の回転により、下側のエアフィルタ３３１が一のスプロケット３３０側へ、上側のエアフィルタ３３１が他のスプロケット３３０側へ駆動されるものである。
【００７８】
清掃部３３３には、回転ブラシ３８５と、回転ブラシ３８５により除去された塵埃などを一時的に貯留するダストボックス８７と、が設けられている。回転ブラシ３８５はモータ（図示せず）などにより回転駆動され、対向するエアフィルタ３３１に捕集された塵埃を掃き取るものである。
【００７９】
このような構成とすることで、清掃部３３３を移動させることなく、エアフィルタ３３１に捕集された塵埃等を、清掃部３３３の回転ブラシ３８５により掃き取ることができる。特に、ラックアンドピニオンのような歯車機構を用いることなく、エアフィルタ３３１の清掃を行うことができる。
【００８０】
なお、本発明の技術範囲は上記実施形態に限定されるものではなく、本発明の趣旨を逸脱しない範囲において種々の変更を加えることが可能である。
【図面の簡単な説明】
【００８１】
【図１】本発明の第１の実施形態に係る空気調和機の全体構成を説明する図である。
【図２】図１の室内機ユニットの構成を説明する断面図である。
【図３】図２の室内機ユニットにおける吸込みグリル、天面パネルおよびスペーサの構成を説明する部分斜視図である。
【図４】図３のスペーサおよび天面パネル上に設置されたフレームの構成を説明する分解斜視図である。
【図５】図４の往復動部および駆動用シャフトの構成を説明する模式図である。
【図６】図３の吸込みグリル上に設けられるエアフィルタおよび清掃部の構成を説明する部分分解斜視図である。
【図７】図６の台座の構成を説明する平面図である。
【図８】図７の回転用ラックギアの形状を説明するＡ−Ａ断面視図である。
【図９】図７の台座および清掃部の組み合わせを説明するＢ−Ｂ断面視図である。
【図１０】本発明の第２の実施形態の空気調和機における清掃部の駆動に係る構成を説明する模式図である。
【図１１】本発明の第３の実施形態の空気調和機における清掃部の駆動に係る構成を説明する模式図である。
【図１２】本発明の第４の実施形態の空気調和機における清掃部の駆動に係る構成を説明する模式図である。
【符号の説明】
【００８２】
１,１０１,２０１  空気調和機
３,１０３,２０３  室内機ユニット
５  室外機ユニット
７  冷媒流路
１５  筐体
１７  吸込口（吸入部）
３１  エアフィルタ
３３  清掃部（塵埃除去部）
３５  駆動モータ（駆動部）
３７,１３７  往復動部（移動部）
４５,１４５  駆動用シャフト（シャフト）
４６  ガイドレール（レール部）
２３７  マグネット（移動磁石）
２４５  リニア板（誘導部）
【図１】
2009264658.tif 000003
【図２】
2009264658.tif 000004
【図３】
2009264658.tif 000005
【図４】
2009264658.tif 000006
【図５】
2009264658.tif 000007
【図６】
2009264658.tif 000008
【図７】
2009264658.tif 000009
【図８】
2009264658.tif 000010
【図９】
2009264658.tif 000011
【図１０】
2009264658.tif 000012
【図１１】
2009264658.tif 000013
【図１２】
2009264658.tif 000014